(57)【特許請求の範囲】
【請求項１】
互いに離隔させて配置した一対の側壁体と、同側壁体間に立設した１又は複数の中間壁体と、各側壁体又は中間壁体の間にそれぞれ架設したスラブ体とを備える門型が左右方向に連続する構造を有し、この連続門型構造を前後方向に密に複数連設してなるプレキャストコンクリート製のコンクリート構造物において、
前記スラブ体はその左右両端面に、上下方向に跨ってアーチ状に突出するループ筋を備え、また、前記中間壁体はその上面に、左右方向へ跨ってアーチ状に突出するループ筋を備えるものであり、
前記中間壁体の上部は、左右二方向から突出する前記スラブ体のループ筋と、下方から突出する前記中間壁体のループ筋との３つのループ筋を前後方向に重畳させつつねじれの位置関係に配置してループ筋トンネル部を形成し、同ループ筋トンネル部の伸延方向に沿って内周に鉄筋を複数配設すると共に、前記ループ筋トンネル部を包埋するようコンクリートを打設してなることを特徴とするプレキャストコンクリート製構造物。
【請求項２】
前記側壁体はその上面に、左右方向へ跨ってアーチ状に突出するループ筋を備えるものであり、
前記側壁体の上部は、左右いずれか一方から突出するスラブ体のループ筋と、下方から突出する前記側壁体のループ筋との２つのループ筋を前後方向に重畳させつつねじれの位置関係に配置してループ筋トンネル部を形成し、同ループ筋トンネル部の伸延方向に沿って内周に鉄筋を複数配設すると共に、前記ループ筋トンネル部を包埋するようコンクリートを打設してなることを特徴とする請求項１に記載のプレキャストコンクリート製構造物。
【請求項３】
請求項１又は請求項２に記載のプレキャストコンクリート製構造物を地中に埋設してなる貯留部と、
前記貯留部の内部空間に地上の雨水を導く流入管が接続される導水孔と、
前記貯留部の内部空間に貯留された雨水を排出する流出管が接続される排水孔と、
を備えた貯留槽。
【請求項４】
前後方向に隣接する中間壁体の胴部間に、幅60cm以上の間隙を形成したことを特徴とする請求項３に記載の貯留槽。
【発明の詳細な説明】
【技術分野】
【０００１】
本発明は、プレキャストコンクリート製構造物及び同プレキャストコンクリート製構造物を備えた貯留槽に関する。
【背景技術】
【０００２】
従来、土木工事などの建設現場において構築されるコンクリート構造物は、現場に型枠を設置してコンクリートを打設する現場打ち工法や、工場にて予め製造したコンクリート製品（以下、プレキャストコンクリートという。）を現場へ運搬して設置するプレキャスト工法などにより構築されている。
【０００３】
なかでも、プレキャスト工法は、現場の天候等に左右される現場打ち工法に比して、均質なプレキャストコンクリートにより品質の高いコンクリート構造物を構築することができ、また、工期を短縮できることもあって実に様々な場面で実施されている。
【０００４】
建設現場へのプレキャストコンクリートの搬入は、トラックやトレーラ等の運搬車両により行われるのが一般的である。
【０００５】
しかしながら、構築されるコンクリート構造物が大きい場合、運搬車両の積載限界や、公道の通行制限等もあって、構築するコンクリート構造物を細分化した状態、すなわち、プレキャストセグメントとして搬入が行われる。
【０００６】
このように分割された状態で建設現場に次々と搬入されたプレキャストセグメントは、互いに結合させつつ組み立てることで、所望するプレキャストコンクリート製構造物が構築される。
【０００７】
ところで、数多くの土木建設現場の中には、例えば、地下駐車場や大量に降った雨を一時的に溜めておく地下貯留槽等のように、内部空間を備えた箱型のコンクリート製の構造物（以下、箱型構造物ともいう。）を構築する場合がある。
【０００８】
このような箱型構造物は、まさにプレキャスト工法に適した構造物であり、外枠をなす壁体や支持体としての中間壁体、天井部分として機能するスラブ体などのプレキャストセグメントを用いて構築が行われる（例えば、特許文献１参照。）。
【０００９】
より詳細には、互いに離隔させて配置した一対の側壁体の間に、１又は複数の中間壁体を立設し、各側壁体又は中間壁体の間にそれぞれスラブ体を架設して門型が左右方向に連続する構造を形成し、この連続門型構造を前後方向に密に複数連設させることで内部に空間を有する箱型のプレキャストコンクリート製構造物が構築される。
【先行技術文献】
【特許文献】
【００１０】
【特許文献１】特開平０７−０９０９１３号公報
【発明の概要】
【発明が解決しようとする課題】
【００１１】
ところが、上記従来のプレキャストコンクリート製構造物は、スラブに十分な重量があり、また、地下埋設されるものにあっては土圧もあることから、中間壁とスラブとの結合強度は、主に施工容易性を優先させる観点からあまり着目されていない。
【００１２】
この点において本発明者らは、地震の多い本邦において、より強固な構造を備えた箱型のプレキャストコンクリート製構造物を提供すべく、鋭意検討を行った。
【００１３】
すなわち、本発明は、斯かる事情に鑑みてなされたものであって、施工が比較的容易でありながら、中間壁体とスラブとが強固に一体化されたプレキャストコンクリート製構造物の提供を目的とする。
【課題を解決するための手段】
【００１４】
上記従来の課題を解決するために、本発明に係るプレキャストコンクリート製構造物では、（１）互いに離隔させて配置した一対の側壁体と、同側壁体間に立設した１又は複数の中間壁体と、各側壁体又は中間壁体の間にそれぞれ架設したスラブ体とを備える門型が左右方向に連続する構造を有し、この連続門型構造を前後方向に密に複数連設してなるプレキャストコンクリート製のコンクリート構造物において、前記スラブ体はその左右両端面に、上下方向に跨ってアーチ状に突出するループ筋を備え、また、前記中間壁体はその上面に、左右方向へ跨ってアーチ状に突出するループ筋を備えるものであり、前記中間壁体の上部は、左右二方向から突出する前記スラブ体のループ筋と、下方から突出する前記中間壁体のループ筋との３つのループ筋を前後方向に重畳させつつねじれの位置関係に配置してループ筋トンネル部を形成し、同ループ筋トンネル部の伸延方向に沿って内周に鉄筋を複数配設すると共に、前記ループ筋トンネル部を包埋するようコンクリートを打設してなることとした。
【００１５】
また、本発明に係るプレキャストコンクリート製構造物では、（２）前記側壁体はその上面に、左右方向へ跨ってアーチ状に突出するループ筋を備えるものであり、前記側壁体の上部は、左右いずれか一方から突出するスラブ体のループ筋と、下方から突出する前記側壁体のループ筋との２つのループ筋を前後方向に重畳させつつねじれの位置関係に配置してループ筋トンネル部を形成し、同ループ筋トンネル部の伸延方向に沿って内周に鉄筋を複数配設すると共に、前記ループ筋トンネル部を包埋するようコンクリートを打設してなることにも特徴を有する。
【００１６】
また、本発明に係る貯留槽では、（３）上記（１）又は（２）に記載のプレキャストコンクリート製構造物を地中に埋設してなる貯留部と、前記貯留部の内部空間に地上の雨水を導く流入管が接続される導水孔と、前記貯留部の内部空間に貯留された雨水を排出する流出管が接続される排水孔と、を備えることとした。
【００１７】
また、本発明に係る貯留槽では、前後方向に隣接する中間壁体の胴部間に、幅60cm以上の間隙を形成したことにも特徴を有している。
【発明の効果】
【００１８】
本発明に係るプレキャストコンクリート製構造物では、互いに離隔させて配置した一対の側壁体と、同側壁体間に立設した１又は複数の中間壁体と、各側壁体又は中間壁体の間にそれぞれ架設したスラブ体とを備える門型が左右方向に連続する構造を有し、この連続門型構造を前後方向に密に複数連設してなるプレキャストコンクリート製のコンクリート構造物において、前記スラブ体はその左右両端面に、上下方向に跨ってアーチ状に突出するループ筋を備え、また、前記中間壁体はその上面に、左右方向へ跨ってアーチ状に突出するループ筋を備えるものであり、前記中間壁体の上部は、左右二方向から突出する前記スラブ体のループ筋と、下方から突出する前記中間壁体のループ筋との３つのループ筋を前後方向に重畳させつつねじれの位置関係に配置してループ筋トンネル部を形成し、同ループ筋トンネル部の伸延方向に沿って内周に鉄筋を複数配設すると共に、前記ループ筋トンネル部を包埋するようコンクリートを打設してなることとしたため、施工が比較的容易でありながら、中間壁体とスラブとが強固に一体化されたプレキャストコンクリート製構造物を提供することができる。
【００１９】
また、前記側壁体はその上面に、左右方向へ跨ってアーチ状に突出するループ筋を備えるものであり、前記側壁体の上部は、左右いずれか一方から突出するスラブ体のループ筋と、下方から突出する前記側壁体のループ筋との２つのループ筋を前後方向に重畳させつつねじれの位置関係に配置してループ筋トンネル部を形成し、同ループ筋トンネル部の伸延方向に沿って内周に鉄筋を複数配設すると共に、前記ループ筋トンネル部を包埋するようコンクリートを打設してなることとすれば、構造物の略全体が極めて強固に一体化されたプレキャストコンクリート製構造物とすることができる。
【００２０】
また、上記プレキャストコンクリート製構造物を地中に埋設してなる貯留部と、前記貯留部の内部空間に地上の雨水を導く流入管が接続される導水孔と、前記貯留部の内部空間に貯留された雨水を排出する流出管が接続される排水孔と、を備えた貯留槽とすれば、施工が比較的容易でありながら、中間壁体とスラブとが強固に一体化され、しかも地震等に対してより頑丈な貯留槽を提供することができる。
【００２１】
また、前後方向に隣接する中間壁体の胴部間に、幅60cm以上の間隙を形成すれば、貯留した雨水等を排出した後で内部空間床面に残留するゴミ等を、所定の建機等を用いて容易に清掃することができる。
【図面の簡単な説明】
【００２２】
【図１】地下貯留設備の構成を示した説明図である。
【図２】本実施形態に係る貯留槽の構成を示した説明図である。
【図３】中間壁体及びスラブ体に形成されたループ筋の構成を示す説明図である。
【図４】中間壁体上にスラブ体を架設した状態を示す説明図である。
【図５】Ｔ字接合部の構成を示した説明図である。
【図６】Ｔ字接合部の構成を示した説明図である。
【図７】側壁体及びスラブ体に形成されたループ筋の構成を示す説明図である。
【図８】Ｌ字接合部の構成を示した説明図である。
【図９】Ｌ字接合部の構成を示した説明図である。
【発明を実施するための形態】
【００２３】
本発明は、施工が比較的容易でありながら、中間壁体とスラブとが強固に一体化されたプレキャストコンクリート製構造物を提供するものであり、具体的には、互いに離隔させて配置した一対の側壁体と、同側壁体間に立設した１又は複数の中間壁体と、各側壁体又は中間壁体の間にそれぞれ架設したスラブ体とを備える門型が左右方向に連続する構造を有し、この連続門型構造を前後方向に密に複数連設してなるプレキャストコンクリート製のコンクリート構造物に関するものである。
【００２４】
ここでコンクリート製構造物は、側壁体や中間壁体、スラブ等により構築された連続門型構造が前後方向に密に連設されてなる構造、例えば箱型構造体であれば、その用途等は特に限定されるものではなく、例えば、駐車設備や雨水貯留設備、倉庫設備や避難設備として使用されるものであっても良い。
【００２５】
また、コンクリート製構造物は、地上に構築されるものであっても良く、また、地下に構築されたり埋設されるものであっても良い。地下に埋設されるケースについて前述の例に照らし合わせてみれば、例えば地下駐車場や貯留槽、地下倉庫や地下シェルター等と理解することができる。
【００２６】
このようなコンクリート製構造物において、本実施形態に係るプレキャストコンクリート製構造物の特徴としては、スラブ体はその左右両端面に、上下方向に跨ってアーチ状に突出するループ筋を備え、また、前記中間壁体はその上面に、左右方向へ跨ってアーチ状に突出するループ筋を備えるものであり、前記中間壁体の上部は、左右二方向から突出する前記スラブ体のループ筋と、下方から突出する前記中間壁体のループ筋との３つのループ筋を前後方向に重畳させつつねじれの位置関係に配置してループ筋トンネル部を形成し、同ループ筋トンネル部の伸延方向に沿って内周に鉄筋を複数配設すると共に、前記ループ筋トンネル部を包埋するようコンクリートを打設してなることとしている。
【００２７】
したがって、立設した側壁体や中間壁体（以下、総称して各壁体ともいう。）上に単にスラブを載置した場合や、ピン結合により連結させた場合に比して、より強固に各壁体とスラブとを一体的に結合させることができる。
【００２８】
なお、例えば特許第3854964号に示されるように、中間壁体とスラブ体との結合にＰＣ鋼材を採用し剛結構造とすることが従来より提案されているが、ジャッキの如き特殊な施工機械を用いてＰＣ鋼材を緊張する必要があるため施工に手間を要し、また、ＰＣ鋼材の緊張作業の管理を行う必要もある。
【００２９】
しかも、このような作業を剛結構造部分全てにおいて行う必要があり、工期が長引き施工費用が嵩んだり、場合によっては事故の可能性も高くなる。
【００３０】
一方、本願発明によれば、上述のような構成としたため、特殊な施工機械を必要とせず、非剛結構造部分と同様に結合部に生コンを打設することで剛結構造が実現でき、ＰＣ鋼材を用いた場合に比して施工の手間や時間を飛躍的に軽減することができると共に、緊張作業に伴う事故の可能性も回避しながら、ＰＣ鋼材による一体化と略同等の結合効果を得ることができる。
【００３１】
また、前記側壁体はその上面に、左右方向へ跨ってアーチ状に突出するループ筋を備えるものであり、前記側壁体の上部は、左右いずれか一方から突出するスラブ体のループ筋と、下方から突出する前記側壁体のループ筋との２つのループ筋を前後方向に重畳させつつねじれの位置関係に配置してループ筋トンネル部を形成し、同ループ筋トンネル部の伸延方向に沿って内周に鉄筋を複数配設すると共に、前記ループ筋トンネル部を包埋するようコンクリートを打設してなることとしても良い。
【００３２】
このような構成とすることにより、上記中間壁体とスラブとの結合のみならず、側壁体とスラブとの結合についても極めて強固な結合とすることができ、構築される構造物略全体を一体的に頑丈なものとすることができる。
【００３３】
また、これらのような構成を備えたプレキャストコンクリート製構造物は、箱型構造体を利用する前述した各種用途のいずれにおいても有用な構造物として利用可能であるが、特に、貯留槽の一部とすれば極めて高い有用性を発揮する。
【００３４】
ここで貯留槽は、例えば都市部などにおいて短時間に相当量の降雨があった場合、雨水を一時的に貯留して、河川への急激な流入等を回避するための地下設備である。
【００３５】
すなわち、本実施形態に係る貯留槽では、上述した本実施形態に係るプレキャストコンクリート製構造物を地中に埋設してなる貯留部と、前記貯留部の内部空間に地上の雨水を導く流入管が接続される導水孔と、前記貯留部の内部空間に貯留された雨水を排出する流出管が接続される排水孔と、を備えることとしている。
【００３６】
したがって、本実施形態に係る貯留槽によれば、地震に際して極めて高い耐性を備えた貯留槽を提供することができる。
【００３７】
また、本実施形態に係る貯留槽では、前後方向に隣接する中間壁体の胴部間に、幅60cm以上の間隙、より好ましくは80cm以上の間隙を形成しても良い。
【００３８】
このような間隙を設けておくことにより、排水後の貯留槽内部に蓄積されたゴミ等を排除するにあたり、排土板等を装着させた狭幅の建設重機を用いて、効率的に清掃を行うことができる。特に、間隙を80cm以上とした場合には、建設重機の左右両側に余裕を持たせた状態で通過可能としたり、建設重機に装着する排土板の横幅をより拡張することができる。
【００３９】
以下、本実施形態に係るプレキャストコンクリート製構造物及び貯留槽に関し、図面を参照しながらより詳細に説明する。
【００４０】
図１は、本実施形態に係る貯留槽Ａを備えた地下貯留設備１０の構造を示す説明図である。図１に示すように、地下貯留設備１０は、都市部に整備された公園Ｐの地下に設置されており、地上部に降った大量の雨水を一時的に貯留して、地上部の洪水状態や河川の急激な増水を回避可能としている。
【００４１】
地下貯留設備１０は、貯留槽Ａと、流入管１２と、流出管１３とを備えている。
【００４２】
貯留槽Ａは、基礎コンクリート２０上に構築された本実施形態に係るプレキャストコンクリート製構造物としての箱型構造物であり、側壁２１と、中間壁２２と、天壁２３と、流入孔１５と、排水孔１６とを備えている。
【００４３】
基礎コンクリート２０は、貯留槽Ａの基礎として機能する部位であり、建設時に地面を掘り下げて形成した穴の底部にコンクリートを紙面の手前−奥行き方向に向けて所定幅、すなわち、少なくとも貯留槽Ａの幅よりも広幅に打設して形成している。
【００４４】
側壁２１は、貯留槽Ａの左右端面を構成する壁であり、紙面左側に配設された左側壁２１Ｌと紙面右側に配設された右側壁２１Ｒとの一対の側壁２１にて構成される。
【００４５】
また、左側壁２１Ｌの上部には、流入孔１５が穿設されている。この流入孔１５は、雨水を貯留槽Ａの内部空間に流入させるための孔であり、流入管１２が接続される。流入管１２は、例えば地上部に配設された雨水マスや、図１に示すように地中に埋設された雨水管１４に接続されており、これら雨水マスや雨水管１４から流入孔１５を介して貯留槽Ａへ雨水を通水させる役割を有している。
【００４６】
また、対向する右側壁２１Ｒの下部には、排水孔１６が穿設されている。この排水孔１６は貯留槽Ａの内部空間に貯留された雨水を流出させるための孔であり、流出管１３が接続される。流出管１３は、例えば河川へ通じる排水管路等に接続されており、貯留槽Ａ内の雨水を排出することができる。なお、本実施形態では流入孔１５を左側壁２１Ｌに、排水孔１６を右側壁２１Ｒに設けることとしたが、これらの形成位置は特に限定されるものではなく、それぞれの役割を阻害しない範囲で適宜位置を変更することができる、その他の位置について例を挙げるならば、例えば、貯留槽Ａの前壁や後壁２５ｂ部分とすることも可能である。
【００４７】
中間壁２２は、一対の側壁２１間に立設した壁であり、本実施形態に係る貯留槽Ａでは、２つの中間壁２２ａ及び中間壁２２ｂを備えることで内部に３つの区画空間１８を形成している。
【００４８】
天壁２３は、貯留槽Ａの天井部分を構成する部位であり、スラブ体３３を複数連結して構成している。なお、図１中において符号２４は、貯留槽Ａ内部の床面を面一とするために打設された充填コンクリート部である。また、貯留槽Ａの紙面奥行き方向端部及び紙面手前方向端部は、コンクリートを打設して後壁２５ｂ（図２参照）及び前壁（図示せず）を構築し、貯留した雨水が貯留槽Ａの前後端面より地中へ漏出しないように構成している。
【００４９】
図２は、貯留槽Ａの構造を立体的に示した説明図である。図２に示すように側壁２１（左側壁２１Ｌ及び右側壁２１Ｒ）は、所定の長さの前後幅（以下、単位前後幅と称する。）に形成したプレキャストセグメントとしての側壁体３０を前後方向（図２にて立体的に示した貯留槽Ａの手前−奥行方向）に密に複数連設して構成している。
【００５０】
側壁体３０は、上下方向に伸延する平板状の壁本体部３０ａと、壁本体部３０ａの上部に形成した上フランジ部３０ｂと、壁本体部３０ａの下部に形成した下フランジ部３０ｃとを備えている。
【００５１】
壁本体部３０ａは、貯留槽Ａ内に雨水を貯留した際、雨水が外部に漏出するのを防止するための壁として機能する部位である。なお、前述の流入孔１５は、図２において記載を省略しているが、前後方向に複数連設する壁本体部３０ａの所定部位に形成される。
【００５２】
上フランジ部３０ｂは、貯留槽Ａの内方へ向けて突出状に形成した上部平面を備えるフランジであり、その上部平面上は、側壁体３０と同じ単位前後幅に形成したプレキャストセグメントとしてのスラブ体３３の左右端部近傍を載置し、側壁体３０とスラブ体３３とを連結するＬ字接合部４０を形成する部位として機能する。
【００５３】
下フランジ部３０ｃは、貯留槽Ａの内方へ向けて突出状に形成した下部平面を備えるフランジであり、側壁体３０自体を基礎コンクリート２０上で安定的に自立させるための部位である。
【００５４】
また、中間壁２２（中間壁２２ａ及び中間壁２２ｂ）は、最大前後幅を前述の側壁体３０と同じ単位前後幅に形成したプレキャストセグメントとしての中間壁体３１を前後方向に密に複数連設して構成しており、また、所定間隔毎に隣り合う区画空間１８を空間的に接続する間隙部３４が形成されている。
【００５５】
中間壁体３１は、上下方向に伸延する平板状の壁胴体部３１ａと、壁胴体部３１ａの上部に形成した上フランジ部３１ｂと、壁胴体部３１ａの下部に形成した下フランジ部３１ｃとを備えている。
【００５６】
壁胴体部３１ａは、上方に架設されるスラブ体３３を支持するための支柱として機能する部位である。また、壁胴体部３１ａには、切欠部３１ｄを備えている。この切欠部３１ｄは、壁胴体部３１ａの前後いずれか一方の端面を上フランジ部３１ｂ近傍から下フランジ部３１ｃの上面に至るまで、単位前後幅よりも30cm以上狭幅となるよう切り欠いて形成している。この切欠部３１ｄは、連設した前後いずれかの他の中間壁体３１の切欠部３１ｄと突き合わせることで間隙部３４を形成するためのものである。すなわち、間隙部３４の間隙幅（前後方向の幅）は60cm以上となるよう構成している。そして、このような構成を備えることにより、貯留槽Ａ内に排土板等を備える幅が60cm以下の建設重機等を搬入することで、例えば雨水と共に流入し排水後に貯留槽Ａ内に残留したゴミ等の除去作業を効率良く行うことができる。
【００５７】
上フランジ部３１ｂは、貯留槽Ａの左右両側方へ向けて突出状に形成した上部平面を備えるフランジであり、スラブ体３３の左右端部近傍を載置し、中間壁体３１と二つのスラブ体３３とを連結するＴ字接合部４１を形成する部位として機能する。
【００５８】
下フランジ部３１ｃは、貯留槽Ａの左右両側方へ向けて突出状に形成した下部平面を備えるフランジであり、中間壁体３１自体を基礎コンクリート２０上で安定的に自立させるための部位である。
【００５９】
次に、本実施形態に係るプレキャストコンクリート製構造物である貯留槽Ａに特徴的なＴ字接合部４１の構成について図３〜図６を参照しつつ説明する。
【００６０】
図３に示すように、Ｔ字接合部４１は、２つのスラブ体３３と、中間壁体３１とにより、中間壁体３１の上フランジ部３１ｂ上に形成される。
【００６１】
スラブ体３３の左右端部には、上下方向に跨るアーチ状のスラブ体ループ筋３３ａをそれぞれ左右側方に突出させて設けており、このスラブ体ループ筋３３ａを前後方向に複数（本実施形態では６つ）形成している。
【００６２】
また、スラブ体３３の左右端部近傍には、スラブ体３３を上下方向に貫通するピン挿通孔３３ｂが、スラブ体３３の左右端縁と平行に前後方向に向けて複数（本実施形態では４つ）穿設されている。
【００６３】
また、中間壁体３１の上フランジ部３１ｂの上面左右略中央には、左右方向に跨るアーチ状の中間壁体ループ筋３１ｅを上方に突出させて設けており、この中間壁体ループ筋３１ｅを前後方向に複数（本実施形態では６つ）形成している。
【００６４】
また、上フランジ部３１ｂの上面左右端部近傍には、鉄筋にて形成した位置決めピン３１ｆを上方へ向けて突出させており、この位置決めピン３１ｆを上フランジ部３１ｂの左右端縁と平行に前後方向に向けて複数（本実施形態では４つ）形成している。
【００６５】
前述のスラブ体３３のピン挿通孔３３ｂは、この位置決めピン３１ｆに対応する位置に穿設されており、ピン挿通孔３３ｂに位置決めピン３１ｆが挿通されるよう、上フランジ部３１ｂの左右それぞれにスラブ体３３の端部を配置することで、スラブ体３３の前後端縁と上フランジ部３１ｂの前後端縁とが揃った規定位置に容易に配置可能としている。
【００６６】
ここで、図３において上フランジ部３１ｂの上面左端部側に配置されるスラブ体３３（説明の便宜上、第１のスラブ体Ｓ１と称する。）のスラブ体ループ筋３３ａと、上フランジ部３１ｂの上面右端部側に配置されるスラブ体３３（説明の便宜上、第２のスラブ体Ｓ２と称する。）のスラブ体ループ筋３３ａと、中間壁体ループ筋３１ｅとは、前述の規定位置に配置した際に、それぞれのループ筋同士が干渉しないよう配置されている。
【００６７】
すなわち、図４に示すように、第１のスラブ体Ｓ１のスラブ体ループ筋３３ａと、第２のスラブ体Ｓ２のスラブ体ループ筋３３ａと、中間壁体３１の中間壁体ループ筋３１ｅとがそれぞれねじれの位置関係に配置され、３つのループ筋のループ部分が前後方向へ向けて重畳するようにしている。
【００６８】
また、このように配置された３つのループ筋により、図５に示すように、前後方向に伸延するループ筋トンネル部４２が形成される。
【００６９】
このループ筋トンネル部４２の内部には、図５及び図６に示すように、同ループ筋トンネル部４２の伸延方向、すなわち前後方向へ向けて内周に鉄筋３５を複数（本実施形態では６本）配設している。
【００７０】
そして、このように形成されたループ筋トンネル部４２を包埋するように、上フランジ部３１ｂ上に配置された２つのスラブ体３３の端部間（図５及び図６において破線で示す部分）にコンクリートを打設してＴ字接合部４１を形成している。
【００７１】
したがって、施工が比較的容易でありながら、中間壁体とスラブとが強固に一体化された剛結合構造が実現される。
【００７２】
次に、Ｌ字接合部４０の構成について図７〜図９を参照しつつ説明する。
【００７３】
図７に示すように、Ｌ字接合部４０は、スラブ体３３と、側壁体３０とにより、側壁体３０の上フランジ部３０ｂ上に形成される。なお、ここでは左側壁２１Ｌを構成する側壁体３０上に形成されたＬ字接合部４０を例に説明するが、右側壁２１Ｒ上のＬ字接合部４０は左右対称であり実質的に同様の構成であるため、説明を省略する。
【００７４】
前述したように、スラブ体３３は、その右端部に上下方向に跨る複数のアーチ状のスラブ体ループ筋３３ａを備え、また、右端部近傍には、スラブ体３３コンクリート成型部分を上下方向に貫通するピン挿通孔３３ｂが複数穿設されている。
【００７５】
また、側壁体３０の上フランジ部３０ｂの上面右寄りには、左右方向に跨るアーチ状の側壁体ループ筋３０ｄを上方に突出させて設けており、この側壁体ループ筋３０ｄを前後方向に複数（本実施形態では６つ）形成している。
【００７６】
また、上フランジ部３０ｂの上面左端部近傍には、鉄筋にて形成した位置決めピン３０ｅを上方へ向けて突出させており、この位置決めピン３０ｅを上フランジ部３０ｂの左右端縁と平行に前後方向に向けて複数（本実施形態では４つ）形成している。
【００７７】
前述のスラブ体３３のピン挿通孔３３ｂは、この位置決めピン３０ｅに対応する位置に穿設されており、ピン挿通孔３３ｂに位置決めピン３０ｅが挿通されるよう、上フランジ部３０ｂの左側にスラブ体３３の端部を配置することで、スラブ体３３の前後端縁と上フランジ部３０ｂの前後端縁とが揃った規定位置に容易に配置可能としている。
【００７８】
また、上フランジ部３０ｂの上面に配置されるスラブ体３３のスラブ体ループ筋３３ａと、側壁体ループ筋３０ｄとは、前述の規定位置に配置した際に、それぞれのループ筋同士が干渉しないよう配置されている。
【００７９】
すなわち、図９に示すように、スラブ体３３のスラブ体ループ筋３３ａと、側壁体３０の側壁体ループ筋３０ｄとがそれぞれねじれの位置関係に配置され、２つのループ筋のループ部分が前後方向へ向けて交互に重畳するようにしている。
【００８０】
また、このように配置された２つのループ筋により、図８に示すように、前後方向に伸延するループ筋トンネル部４３が形成される。
【００８１】
このループ筋トンネル部４３の内部には、図８及び図９に示すように、同ループ筋トンネル部４３の伸延方向、すなわち前後方向へ向けて内周に鉄筋３５を複数（本実施形態では６本）配設している。
【００８２】
そして、このように形成されたループ筋トンネル部４３を包埋するように、図８及び図９において破線で示す部分をコンクリートで打設してＬ字接合部４０を形成している。
【００８３】
したがって、施工が比較的容易でありながら、側壁体３０とスラブ体３３とが強固に一体化された剛結合構造が実現される。
【００８４】
特に、本実施形態に係るプレキャストコンクリート製構造物である貯留槽Ａでは、Ｌ字接合部４０とＴ字接合部４１との両方を備えているため、構造物の略全体が極めて強固に一体化されたプレキャストコンクリート製構造物が実現される。
【００８５】
上述してきたように、本実施形態に係るプレキャストコンクリート製構造物によれば、互いに離隔させて配置した一対の側壁体（例えば、側壁体３０）と、同側壁体間に立設した１又は複数の中間壁体（例えば、中間壁体３１）と、各側壁体又は中間壁体の間にそれぞれ架設したスラブ体（例えば、スラブ体３３）とを備える門型が左右方向に連続する構造を有し、この連続門型構造を前後方向に密に複数連設してなるプレキャストコンクリート製のコンクリート構造物において、前記スラブ体はその左右両端面に、上下方向に跨ってアーチ状に突出するループ筋（例えば、スラブ体ループ筋３３ａ）を備え、また、前記中間壁体はその上面に、左右方向へ跨ってアーチ状に突出するループ筋（例えば、中間壁体ループ筋３１ｅ）を備えるものであり、前記中間壁体の上部は、左右二方向から突出する前記スラブ体のループ筋と、下方から突出する前記中間壁体のループ筋との３つのループ筋を前後方向に重畳させつつねじれの位置関係に配置してループ筋トンネル部（例えば、ループ筋トンネル部４２）を形成し、同ループ筋トンネル部の伸延方向に沿って内周に鉄筋（例えば、鉄筋３５）を複数配設すると共に、前記ループ筋トンネル部を包埋するようコンクリートを打設してなる（例えば、Ｔ字接合部４１）こととしたため、施工が比較的容易でありながら、中間壁体とスラブとが強固に一体化されたプレキャストコンクリート製構造物を提供することができる。
【００８６】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００８７】
１０  地下貯留設備
１２  流入管
１３  流出管
１５  導水孔
１６  排水孔
１８  区画空間
２１  側壁
２２  中間壁
２３  天壁
３０  側壁体
３０ｄ  側壁体ループ筋
３１  中間壁体
３１ｅ  中間壁体ループ筋
３３  スラブ体
３３ａ  スラブ体ループ筋
３４  間隙部
３５  鉄筋
４０  Ｌ字接合部
４１  Ｔ字接合部
４２  ループ筋トンネル部
４３  ループ筋トンネル部
Ａ  貯留槽
【図１】
0006591838.tif 000002
【図２】
0006591838.tif 000003
【図３】
0006591838.tif 000004
【図４】
0006591838.tif 000005
【図５】
0006591838.tif 000006
【図６】
0006591838.tif 000007
【図７】
0006591838.tif 000008
【図８】
0006591838.tif 000009
【図９】
0006591838.tif 000010